(57)【特許請求の範囲】
【請求項１】
前面開口が断熱内扉により閉塞され、断熱筐体として形成された本体キャビネットと、この本体キャビネットの前面を開閉する片開き式の外扉を備え、前記外扉に画成され、前面の透明パネルと背面の中扉により覆われた商品展示室に商品見本を配列してなる自動販売機の商品見本展示装置において、中扉に屈曲した段部を上下方向に複数段形成し、当該段部にマグネットを嵌合させる一方、商品見本を個別に保持するホルダーを板金により形成し、当該ホルダーを中扉に吸着させて前記商品見本を中扉の任意の位置に展示して成ることを特徴とする自動販売機の商品見本展示装置。
【発明の詳細な説明】
【技術分野】
【０００１】
本発明は、自動販売機の外扉前面に画成された商品展示室に商品見本を展示する自動販売機の商品見本展示装置に係り、特に商品見本を商品展示室内の任意の位置にレイアウトすることができるようにした自動販売機の商品見本展示装置に関する。
【背景技術】
【０００２】
この種の自動販売機として缶入り飲料，ペットボトル入り飲料等の商品を販売する一般的な自動販売機は断熱筐体としてなる本体ケースの前面に片開き式の外扉が設けられ、当該外扉には複数の商品見本を展示する商品展示室が形成されている。この商品展示室の前面は商品見本を外部から視認できるように透明パネルで覆われ、前記展示室内には当該商品展示室の左右方向に延在する横長の商品展示台が上下方向に複数段配設され、これらの商品展示台に商品見本が載置されている。前記商品見本は缶入り飲料，ペットボトル入り飲料等の意匠を施した本体部の底部に嵌合部が形成されている一方、横長の商品展示台の載置面には円形の開口部が複数穿孔されている。そして、前記商品見本の嵌合部を商品展示台の開口部に嵌合させることにより商品展示室に商品見本を横一列に並べて展示し、商品展示台の下部に配設された蛍光灯により照明するように構成されている（例えば、特許文献１）。
このように商品展示室の左右方向に延在し上下方向に複数配設した商品展示台に商品見本を横一列に並べて展示する自動販売機の商品見本展示装置にあっては商品見本のレイアウトが画一的であるので差別化できない。このため、商品展示室内の任意の位置に商品見本をレイアウトすることにより差別化して衆目を集めるようにした自動販売機の商品見本展示装置として次記のものが知られている。その一つは、商品展示室の後面を画成する展示パネルに多数の係合穴（パンチング穴）を形成する一方、商品見本を個別に載置するホルダーに前記係合穴に着脱自在な一対のボスを設け、前記ホルダーのボスを係合穴に差し込んで商品見本を商品展示室の任意位置に展示するものである（例えば、特許文献２）。また、他の一つは、商品展示室の形状に一致させた額縁状の陳列フレームに左右方向に横架されるバーを上下方向多段に配設する一方、商品見本を個別に載置する商品見本陳列台に前記バーに係止するフックを設け、前記商品見本陳列台のフックをバーに係止させて商品見本を商品展示室の任意の位置に展示するものである（例えば、特許文献３）。
【先行技術文献】
【特許文献】
【０００３】
【特許文献１】特開平１０−７９０７９号公報
【特許文献２】特開２０００−１１２４４号公報
【特許文献３】特開２００１−３３１８６０号公報
【発明の概要】
【発明が解決しようとする課題】
【０００４】
上記特許文献２および特許文献３に開示された自動販売機においては商品展示室内の任意の位置に商品見本をレイアウトできる点で優れている。しかしながら、特許文献２に開示された自動販売機においてはホルダーに設けた一対のボスを展示パネルに形成した任意の係合穴に差し込んで係止するように構成されているため、前記係合穴にホルダーの一対のボスを差し込む際、当該一対のボスの軸線が係合穴の軸線と一致するように位置決めした上で差し込まねばならならないので商品見本の展示装着作業が煩雑であり、前記したような位置決めが不完全な状態でボスを係合穴に差し込むとボスが破損したり展示パネルが傷付く虞がある。特に、展示パネルに傷が付いた場合には商品見本のレイアウト変更によって当該傷が露呈するので見栄えを損なうという課題を有する。  かかる点、特許文献３に開示された自動販売機においては横架されたバーに商品見本陳列台に設けたフックを係止させればよいので商品見本の展示装着作業を簡単に行うことができる反面、上下方向に多段のバーを配設するために額縁状の陳列フレームを追加装備せねばならないことから部品点数が増加してコストが嵩むという課題を有する。
そこで、本発明は上記の点に鑑みなされたものであり、その目的は前記課題を解決し、大幅な改造を行うことなく、商品見本の展示作業が簡単で商品見本を任意の位置にレイアウトすることが可能な自動販売機の商品見本展示装置を提供することにある。
【課題を解決するための手段】
【０００５】
上記目的を達成するために請求項１に係る発明は、前面開口が断熱内扉により閉塞され、断熱筐体として形成された本体キャビネットと、この本体キャビネットの前面を開閉する片開き式の外扉を備え、前記外扉に画成され、前面の透明パネルと背面の中扉により覆われた商品展示室に商品見本を配列してなる自動販売機の商品見本展示装置において、中扉に屈曲した段部を上下方向に複数段形成し、当該段部にマグネットを嵌合させる一方、商品見本を個別に保持するホルダーを板金により形成し、当該ホルダーを中扉に吸着させて前記商品見本を中扉の任意の位置に展示して成ることを特徴とする。
【発明の効果】
【０００６】
本発明の請求項１に係る発明は、前面開口が断熱内扉により閉塞され、断熱筐体として形成された本体キャビネットと、この本体キャビネットの前面を開閉する片開き式の外扉を備え、前記外扉に画成され、前面の透明パネルと背面の中扉により覆われた商品展示室に商品見本を配列してなる自動販売機の商品見本展示装置において、中扉に屈曲した段部を上下方向に複数段形成し、当該段部にマグネットを嵌合させる一方、商品見本を個別に保持するホルダーを板金により形成し、当該ホルダーを中扉に吸着させて前記商品見本を中扉の任意の位置に展示して成ることにより、従前の自動販売機に具備されていたところの、商品展示室の背面を形成し、商品見本を載置する商品展示台が取り付けられていた中扉に直接商品見本を吸着させて中扉の任意の位置にレイアウトすることができるので、部品点数を削減してコストの低減を図ることができるという効果を有する。また、中扉には係合溝が形成された水平面を有する態様で屈曲した段部を形成し、当該段部にマグネットを嵌合させたことにより、中扉側にマグネットを設ける際、中扉の表面全域をカバーするような大きさのマグネットを設ける場合に比べてマグネットの材料費を削減することができるという効果を有する。
【図面の簡単な説明】
【０００８】
【図１】本発明の実施の形態１である自動販売機を示し、（ａ）はその全体構成を示す正面図、（ｂ）は（ａ）の自動販売機の外扉、および中扉を開放した状態を示す斜視図である。
【図２】図１の中扉を示し、（ａ）はその斜視図、（ｂ）はその要部断面図である。
【図３】図１のホルダーを示す分解斜視図である。
【図４】図３のホルダーをレイアウト部材に装着した状態を示す斜視図である。
【図５】図１のポスター部材を示し、（ａ）はその分解斜視図、（ｂ）はその組立を示す斜視図である。
【図６】図１の照明光源として発光ダイオードモジュールを示す斜視図である。
【図７】発光ダイオードモジュールのパネル押え金具への組付け状態を示す斜視図である。
【図８】レイアウト部材に装着される照明光源として発光ダイオードモジュールユニットを示し、（ａ）はその分解斜視図、（ｂ）はその組立図である。
【発明を実施するための形態】
【０００９】
以下、本発明における実施の形態である自動販売機を図面に基づいて説明する。
（実施の形態１）
図１は本発明の実施の形態１である自動販売機の全体構成を示す。図において、１は前面が開放した断熱筐体として形成された本体キャビネットである。この本体キャビネット１の庫内は断熱仕切壁により左右方向に複数の商品収納室に区分され、各商品収納室には缶入り飲料，ペットボトル飲料等の商品を収容するとともにその下端に後述する商品選択ボタンの操作により商品を搬出する商品払出機構を有する商品収納ラックが収設されている。また、各商品収納室の下部には当該各商品収納室を冷却もしくは加熱して商品収納ラックに収容した商品を冷却・加熱する冷却／加熱ユニットが配設されている。そして、本体キャビネット１の前面開口は片開き式の断熱内扉２０により閉塞されている。
前記本体キャビネット１の前面には不図示のヒンジ機構により開閉自在な片開き式の外扉２が設けられ、この外扉２の前面の上部域には商品展示室３が設けられている。この商品展示室３はその前面側が透明パネル４で覆われ、背面側が中扉２１により覆われている。前記透明パネル４の上下左右の周縁はその裏面側に配設された上下左右のパネル押え金具４１〜４４（図１の（ｂ）参照）により保持され、これらのパネル押え金具４１〜４４が商品展示室３の周囲の側壁を形成している。詳細については後述するが、前記上下左右のパネル押え金具４１〜４４のうち、下側のパネル押え金具４２を除く上側のパネル押え金具４１と左右のパネル押え金具４３，４４には照明光源７０（後述する発光ダイオードモジュール組立体からなる）が配設されている。
前記商品展示室３の背面壁を形成する中扉２１は左端側をヒンジ２１ａ（図１の（ｂ）参照）により外扉２に開閉自在に取付けられている。この中扉２１には後述する図２にて詳述するマグネットが敷設された段部２１１〜２ｎｎが上下方向に複数段配設され、この段部２１１〜２ｎｎの任意位置に商品見本８、ポスター部材９が展示され、また、照明光源７０が装着されるように構成されている。なお、前記商品見本８は後述するホルダー１０を介して段部に展示されるように構成されている。前記外扉２における商品展示室３の下方左側領域には商品展示室３に展示された複数の商品見本８を選択する商品選択ボタン５ａを集中して配置したボタン部５が設けられている。前記外扉２における商品展示室４の下方右側領域には接客部６が設けられ、この接客部６には硬貨投入口６１、紙幣挿入口６２、返却レバー６３、投入金額，庫内温度，販売中，準備中等の各種情報をディスプレイに表示する販売情報表示部６４が組付けられている。また、外扉２における高さ方向略中央であって右端側（反ヒンジ機構側）にはシリンダー錠付きの主ロック装置７が設けられている。そして、前記外扉２における下部領域には硬貨返却口２ａ、商品販売口２ｂが設けられている。
【００１０】
さて、前記中扉２１は、図２に示すように、上下方向に段々に屈曲された薄板板金からなり、その表面には白色塗装が施されている。この実施の形態では中扉２１はその板面から前方に向けて直角に折り曲げられて左右方向に延在する天井壁２１ａを形成するとともに、当該天井壁２１ａから下方に直角に折り曲げられた前面壁２１ｂを形成し、さらに後方に向けて直角に折り曲げて断面四角状に屈曲した段部２１１を上下方向に等間隔に複数段２１１〜２ｎｎ形成されて成る。そして、中扉２１の板面から前方に突出した段部２１１〜２ｎｎにおけるそれぞれの前面壁２１ｂの背面には短冊状のマグネット３０（図２の（ｂ）参照）が敷設されている。この場合、マグネット３０は中扉２１が板金により形成されていることから前面壁２１ｂの背面に吸着させることにより格別の固定具を設けることなく敷設することができる。また、前記各段２１１〜２ｎｎの前面壁２１ｂには左右方向に複数の凹み２１ｃが均等ピッチで形成されている。前記複数の凹み２１ｃは中扉２１を段々加工する前における平板状態においてプレスによる押し出しにより形成され、この凹み２１ｃは商品展示室３における商品見本８の展示領域にマトリックス状に配列されており、後述する商品見本８を商品展示室３内にレイアウトする際の目印となるものである。なお、図示は省略しているが、中扉２１の周縁に沿って補強金具を設けて補強すると中扉２１の開閉をスムーズに行うことが可能となる。
【００１１】
前記中扉２１の段部２１１〜２ｎｎに着脱自在に装着されるホルダー１０は、図３に示すように、短冊状の板金を断面Ｚ字形に折り曲げて形成されてなり、その表面には白色塗装が施されている。ホルダー１０の水平面をなす商品見本載置部１０１には商品見本８の嵌合穴１０１１が形成されている。また、前記ホルダー１０には商品見本載置部１０１の後端から鉛直に立ち上がる固定部１０２と、この固定部１０２の端部から後方に向けて直角に折り曲げられた係止部１０３とを形成するように屈曲され、前記固定部１０２には位置決め孔１０２１が形成されている。前記係止片１０３の長さは前述した中扉２１の段部２１１〜２ｎｎにおける天井壁２１ａの幅よりも小さく形成されている。また、ホルダー１０の商品見本載置部１０１の前端から鉛直に垂下する掲示部１０４の自由端（下端）は前方に折り返して保持溝１０４１が形成されている。前記掲示部１０４の左右の上部領域には商品見本載置部１０１の左右端部から前方に延在して内方に折り曲げられた保持爪１０１２が配設されている。前記保持爪１０１２と掲示部１０４の表面との間には次に示す商品情報表示体１１の厚さよりも僅かに大きい隙間が形成されている。前記商品情報表示体１１はホルダー１０の掲示部１０４（の表面）と略同一の大きさに形成され、その表面には商品見本８の商品情報としての商品見本指定番号（例えば、１〜Ｎ），商品価格（例えば、\１２０），冷温状態（例えば、寒色の背景色に白抜きの「ＣＯＬＤ」、若しくは暖色の背景色に白抜きの「ＨＯＴ」）が表示されている。この商品情報表示体１１はホルダー１０の掲示部１０４に上方から差し込むことにより保持溝１０４１と保持爪１０１２とにより掲示部１０４に掲示される。
【００１２】
図４は前記ホルダー１０を段部２１１に装着した状態を示し、図では理解しやすくするために中扉２１に形成された複数段の段部２１１〜２ｎｎのうち、段部２１１に一つのホルダー１０を装着した状態を示している。前記ホルダー１０の段部２１１へ装着は、前記ホルダー１０の係止片１０３を段部２１１の天井壁２１ａに載置しつつ固定部１０２を段部２１１の前面壁２１ｂに当接させる。この場合、ホルダー１０の固定壁１０２に設けた位置決め孔１０２１を段部２１１の前面壁２１ｂに設けた凹み２１ｃに一致させることにより位置決めが行われる。このようにして、ホルダー１０の固定部１０２を段部２１１の前面壁２１ｂに当接させると、前記前面壁２１ｂの背面に敷設したマグネット３０がホルダー１０の固定部１０２、および係止部１０３を吸引してそれぞれ段部２１１の前面壁２１ｂ、および天井壁２１ａに吸着させる。このようにしてホルダー１０が段部２１１に装着固定される。なお、ホルダー１０をマトリックス状に配列された凹み２１ｃのうちの何れの凹み２１ｃに一致させて装着するかは机上でのシミュレーション、すなわち、それぞれの凹み２１ｃにアドレスを付したうえで模擬的に商品見本をレイアウトしたシミュレーションの結果に基づいてホルダー１０を所定のレイアウト位置に正確に装着するためである。前述したように、段部２１１に装着固定されたホルダー１０における商品見本載置部１０１の嵌合穴１０１１に商品見本８（図１参照）が取付けられる。前記商品見本８はこの実施の形態１においてペットボトル入り飲料の意匠を施した円筒状で薄肉の合成樹脂成形品としてなり、商品見本８の下縁を前記嵌合穴１０１１に嵌合させて取付けられるが、この取付け方法については周知であるのでここでは詳細な説明は省略する。
【００１３】
前記レイアウト部２１１に着脱自在に装着されるポスター部材９は、図５に示すように、板金製の基台９１と、この基台９１の前面を覆う硬質で透明のシート９２からなる。前記基台９１は用紙サイズが「Ａ３」のポスター（不図示）よりも僅かに大きい矩形形状に形成され、その表面には白色塗装が施され、その上縁には背面側に向けて屈曲した係止部９１１が形成されている。また、前記基台９１の下部側には基台９１を切起して形成された左右２個の係止部９１２，９１２が設けられている。この係止部９１２，９１２は基台９１の上縁に形成された係止部９１１から所定寸法だけ離隔した位置、すなわち、段部２１１〜２ｎｎのピッチと段部２１１の高さとを加算した寸法の整数倍に定められている。そして、前記基台９１の下縁には前方に折り返して保持溝９１３が形成されている。一方、シート９２はナイロンリベットにより上端側を前記基台９１に固着して取付けられ、下端側が基台９１の保持溝９１３に位置している。
前述したように構成されたポスター部材９には次のようにしてポスターが装填される。すなわち、基台９１に上端側が固着されたシート９２の下端側を前方側に引くとシート９２が湾曲して基台９１との間に隙間が生じるので、ポスター部材９の下端側から前記隙間にポスターを挿入する。ポスターを所定位置まで挿入した上でシート９２から手を離すとシート９２が復元してポスターの前面を覆う。なお、ポスターは基台９１の保持溝９１３により脱落しないように保持されている。
このポスター部材９の段部２１１への装着方法は前述したホルダー１０の装着方法に対して、上方の係止部９１１，９１１と下方の係止部９１２，９１２を段部２１１〜２ｎｎのうちの任意の段部に同時に載置する点を除けば同一である。例えば、上下の係止部９１１，９１２が五つの段部を跨ぐように離隔されている場合には、上下の係止部９１１，９１２を上下方向に５個離れたそれぞれの段部（２１１〜２ｎｎ）の天井壁２１ａに載置した上でポスター部材９の基台９１を段部（２１１〜２ｎｎ）の前面壁２１ｂに当接させると当該前面壁２１ｂのそれぞれの背面に敷設されたマグネット３０により吸引されて前面壁２１ｂに吸着される。このようにしてポスター部材９は段部２１１〜２ｎｎのうちの任意の段部に跨って装着固定される。
【００１４】
前記商品展示室３の周壁に配設される照明光源７０としての発光ダイオードモジュールは、図６に示すように、遮光材からなる短冊状の台座７１と拡散用レンズ７２と取付金具７３からなる。前記台座７１には複数の発光ダイオード素子（不図示）を実装した回路基板が配設されており、当該回路基板に接続された配線接続用コネクタ７４は拡散用レンズ７３を貫通して引き出されている。前記発光ダイオードモジュール７０の取付金具７３の左右両端部はねじ固定部として形成されており、その一方の端部のねじ固定部には寸法誤差を吸収するために開放したねじ挿通穴として形成されている。
前述した発光ダイオードモジュール７０は図１に示した商品展示室３の周囲の側壁を形成するパネル押え金具に取付けられ、パネル押え金具への組付けを図７に示す。前述した図１において説明したように透明パネル４の上下左右の周縁はその裏面側に配設された上下左右のパネル押え金具４１〜４４によって保持されており、図７において、４１で上側のパネル押え金具、４３，４４で左右のパネル押え金具を示し、４５，４６はそれぞれ発光ダイオードモジュール７０の取付金具を示し、４７，４８はそれぞれ採光板を示している。なお、上下左右のパネル押え金具４１〜４４はその表面に白色塗装が施され、それぞれの前縁（図７では上側のパネル押え金具４１と左右のパネル押え金具４３，４４の前縁４１ａ，４３ａ，４４ａが示されている）が透明パネル４の背面に当接し、その後縁４１ｂ，４３ｂ，４４ｂが外扉２の扉枠に固定して取付けられている。
前記上側のパネル押え金具４１の板面（表面）には前記発光ダイオードモジュール７０が直接固着されるように構成されている。すなわち、上側のパネル押え金具４１には発光ダイオードモジュール７０がその取付金具７３（図６参照）の左右両端部のねじ固定部を介してねじにより固着されており、発光ダイオードモジュール７０が商品展示室３に露出するように組付けられている。この実施の形態では上側のパネル押え金具４１に３個の発光ダイオードモジュール７０が取付けられており、それぞれの発光ダイオードモジュール７０は配線接続用コネクタ７４（図６参照）を介して直列接続されている。
一方、商品展示室３の左右側壁側に配設される発光ダイオードモジュール７０は左右のパネル押え金具４３，４４の背面側に配設されている。すなわち、左右のパネル押え金具４３，４４には商品展示室３の周壁となる板面にそれぞれ２個の開口４３ｃ，４３ｃ、４４ｃ，４４ｃが設けられ、その開口４３ｃ，４３ｃ、４４ｃ，４４ｃの大きさは前記発光ダイオードモジュール７０の拡散用レンズ７２の外形寸法より大きく形成されている。また、左右のパネル押え金具４３，４４の背面側には発光ダイオードモジュール７０を保持する取付金具４５，４６が設けられている。前記取付金具４５，４６は薄板板金を適宜折り曲げて形成されてなるものであり、外扉２の扉枠に固着されてパネル押え金具４３，４４に覆われるように構成されている。前記取付金具４５，４６には発光ダイオードモジュール７０がパネル押え金具４３，４４の開口４３ｃ，４３ｃ、４４ｃ，４４ｃに臨むように取付けられており、それぞれの取付金具４５，４６に取付けられた発光ダイオードモジュール７０は配線接続用コネクタ７４（図６参照）を介して直列接続されている。そして、左右のパネル押え金具４３，４４の前面（表面）側には採光板４７，４８が取付けられる。
このように商品展示室３の左右側壁側に配設された発光ダイオードモジュール７０のように左右のパネル押え金具４３，４４の背後に配設した場合には、配線接続用コネクタ７４に接続される電源線や制御信号線などの配線を目視できないように隠すことができる。なお、上側のパネル押え金具４１に取付けられた発光ダイオードモジュール７０は商品展示室３内に露出しているが、この商品展示室３の上部領域にはロゴタイプなどを表示する表示部材１００（図１の（ｂ）参照）が吊下げられることから自動販売機の前面側から発光ダイオードモジュール７０が見えることはない。
【００１５】
また、前記段部２１１に装着することにより商品展示室３内に配設される照明光源７０を図８に示している。この照明光源７０は発光ダイオードモジュールユニット７００として構成され、図に示すように、発光ダイオードモジュール７０と、この発光ダイオードモジュール７０の取付金具７１０と、レイアウト部２１１に係止される係止金具７２０、および目隠し板７３０とからなり、取付金具７１０，係止金具７２０、および目隠し板７３０はそれぞれ薄板板金製であって白色塗装が施されている。前記発光ダイオードモジュール７０は図６に示したものと同一である。前記取付金具７１０は縦断面Ｌ字形に折り曲げられた底板７１１と前板７１２とからなり、底板７１１の左右両端には上方に向けて鉛直に折り曲げられるとともにねじ挿通穴を有する連結片７１３，７１３が形成されている。この取付金具７１０の底板７１１の下面に前記発光ダイオードモジュール７０がねじにより固着される。前記係止金具７２０は縦断面逆Ｌ字形に折り曲げられた主板７２１と天板７２２からなる。また、前記係止金具７２０における主板７２１の左右両端には前方に向けて折り曲げられるとともにねじ挿通穴を有する固定片７２５，７２５が形成されている。前記目隠し板７３０は上縁を後方に傾斜するように形成された庇７３１が形成されている。
【００１６】
前述した構成からなる発光ダイオードモジュールユニット７００として組立た状態を図８の（ｂ）に示しており、発光ダイオードモジュール７０を底板７１１の下面に固着した取付金具７１０の左右の連結片７１３，７１３の外側に係止金具７２０の固定片７２５，７２５を重ね合わせて両者をねじＳ１により固着し、取付金具７１０の前板７１２の前方に目隠し板７３０を重ね合わせて両者をねじＳ２により固着することにより発光ダイオードモジュールユニット７００が組立られる。この発光ダイオードモジュールユニット７００の段部２１１への装着は前記ホルダー１０の装着方法と略同一である。つまり、係止金具７２０の天板７２２を段部２１１の天井壁２１ａに載置しつつ主板７２１を段部２１１の前面壁２１ｂに当接させると、前記前面壁２１ｂの背面に敷設されたマグネット３０が主板７２１を吸引して当該前面壁２１ｂに吸着させる。これにより発光ダイオードモジュールユニット７００が段部２１１に装着される。ここで、発光ダイオードモジュールユニット７００の配線は中扉２１に穿孔された配線用開口（不図示）を通して段部２１１の断面コ字形の空間を介して引き回される。なお、ねじＳ１を緩めて係止金具７２０に対して取付金具７１０を回動させることにより発光ダイオードモジュール７０からの照射方向を可変とすることができる。
【００１７】
前述したように、商品展示室３の任意の位置に商品見本８、ポスター部材９をレイアウトした一例を図１に示している。この場合、図１のように商品展示室３の任意の位置に装着されたポスター部材９の近傍、図の例ではポスター部材９の左右に装着された商品見本８を特定の商品見本とするのがよい。特定の商品見本とはポスター部材９に掲示されたポスターが新発売の商品の広告である場合には新発売の商品に対応する商品見本であり、また、ポスターがキャンペーン期間中のおすすめ商品の広告である場合にはそのおすすめ商品に対応する商品見本などである。このように、ポスター部材９の近傍に特定の商品見本８を配置してなることにより、目に留まり易いポスターの近傍に特定の商品見本が位置するので特定の商品見本を利用者にアピールすることができるという効果を有する。
前述したように、商品展示室３の上側のパネル押え金具４１および左右のパネル押え金具４３，４４に照明光源７０（発光ダイオードモジュール７０）を取り付け、前記商品展示室３の任意の位置に商品見本８、ポスター部材９、および照明光源７０（発光ダイオードモジュールユニット７００）をレイアウトした状態で自動販売機に通電するとから商品展示室３の上側のパネル押え金具４１および左右のパネル押え金具４３，４４に取り付けた照明光源７０（発光ダイオードモジュール７０）から照射される照明光により商品展示室３内が明るく照明され、また、商品展示室３内に配置した照明光源７０（発光ダイオードモジュールユニット７００）によりポスター部９に展示されたポスターが際立つように照明される。利用者が商品を購入するために硬貨、若しくは紙幣を投入した場合、投入金額が商品価格に一致、若しくは商品価格を超えた商品に対応する商品選択ボタン５ａが点灯（販売可能状態を表示）する。この場合、商品選択ボタン５ａには商品見本８を保持するホルダー１０に掲示された商品情報表示体１１に表示された商品指定番号と一対一で対応する番号が表示されるように構成されており、希望する商品見本８の商品指定番号に対応する商品選択ボタン５ａを押すと本体キャビネット１の庫内に収納された商品収納ラックから対応する商品が搬出される。
【００１８】
なお、この実施の形態１においては中扉２１に形成した段部２１１は断面形状が四角状に限らず、例えば、Ｚ字状に形成することができるものであり、図に示した形状に限定されるものではない。また、中扉２１を、段部２１１を形成してその背後にマグネット３０を敷設すればマグネット３０の材料費を削減することができるが、マグネット３０の材料費を無視することができる場合には中扉２１を平板状に形成してその背後にマグネットを敷設することができるものである。さらに、中扉２１にマグネット３０を敷設するのに代えてホルダー１０にマグネット３０を敷設することもできるものである。さらに加えて、この実施の形態ではホルダー１０を用いて商品見本８および商品情報表示体１１を保持するものについて説明したが、商品見本８にマグネット３０、若しくは鉄板を敷設して商品見本８を直接中扉２１に装着することもできるものである。
前述したとおり本発明によれば、前面開口が断熱内扉２０により閉塞され、断熱筐体として形成された本体キャビネット１と、この本体キャビネット１の前面を開閉する片開き式の外扉２を備え、前記外扉２に画成され、前面の透明パネル４と背面の中扉２１により覆われた商品展示室３に商品見本８を配列してなる自動販売機の商品見本展示装置において、中扉２１に屈曲した段部２１１を上下方向に複数段形成し、当該段部２１１にマグネットを嵌合させる一方、商品見本８を個別に保持するホルダー１０を板金により形成し、当該ホルダー１０を中扉２１に吸着させて前記商品見本８を中扉２１の任意の位置に展示して成ることにより、従前の自動販売機に具備されていたところの、商品展示室の背面を形成し、商品見本を載置する商品展示台が取り付けられていた中扉２１に直接商品見本８を吸着させて中扉２１の任意の位置にレイアウトすることができるので、部品点数を削減してコストの低減を図ることができるという効果を有する。
【符号の説明】
【００１９】
１…本体キャビネット、２…外扉、３…商品展示室、４…透明パネル、５…ボタン部、５ａ…商品選択ボタン、８…商品見本、９…ポスター部材、１０…ホルダー、１１…商品情報表示体、２０…内扉、２１…中扉、３０…マグネット、４１，４２，４３，４４…パネル押え金具、７０…発光ダイオードモジュール（照明光源）、２１１〜２ｎｎ…段部、７００…発光ダイオードモジュールユニット（照明光源）。
【図１】
0005526813.tif 000002
【図２】
0005526813.tif 000003
【図３】
0005526813.tif 000004
【図４】
0005526813.tif 000005
【図５】
0005526813.tif 000006
【図６】
0005526813.tif 000007
【図７】
0005526813.tif 000008
【図８】
0005526813.tif 000009